(57)【要約】【課題】必要とする任意のデカル類を選択するとそのデカルの表示内容を音声ガイダンスするようにし、さらには装置が静音状態で音声ガイダンスをするようにしてより、円滑に操作することができる情報処理装置を提供する。【解決手段】装置に関する各種デカルの位置及び表示内容の音声情報をメモリできる記憶装置１３と、装置にある任意のデカルの表示内容を音声ガイダンスするデカル類音声ガイダンスモードが設定される操作部２１と、選択された任意のデカルの表示内容を音声ガイダンスできるスピーカ２４部とを備え、かつ、装置にある各種デカル２３に接触検知機能を有し、さらに、前記デカル類音声ガイダンスモードが設定され、触ることで選択された任意のデカルの表示内容がスピーカ部２４より音声ガイダンスされるよう制御する制御部１１を備えた。【選択図】　　　図１
2004020732.tif 000002
【特許請求の範囲】
【請求項１】
装置に付する各種デカルの位置及び表示内容についての音声情報をメモリする記憶装置と、任意のデカルの表示内容を音声ガイダンスするデカル類音声ガイダンスモードを設定する操作部と、選択された任意のデカルの表示内容を音声ガイダンスするスピーカ部と、デカルに接触検知機能を付与する接触センサと、制御部と、を備え、
前記制御部は、前記デカル類音声ガイダンスモードが設定されている時に、デカルに接触することで選択された任意のデカルの表示内容をスピーカ部より音声ガイダンスすよう制御することを特徴とする情報処理装置。
【請求項２】
請求項１記載の情報処理装置において、前記デカル類音声ガイダンスモードが設定され、デカルの表示内容を音声ガイダンスするときには、装置が静音状態に移行していることを特徴とする情報処理装置。
【請求項３】
前記デカルの表示内容を音声ガイダンスするデカル類音声ガイダンスモードを前記操作部より設定解除できるようにしたことを特徴とする請求項１又は２に記載の情報処理装置。
【発明の詳細な説明】
【０００１】
【発明の属する技術分野】
本発明は情報処理装置に関するものであり、特に操作効率を向上させるための技術に関する。
【０００２】
【従来の技術】
従来、画像形成装置、コンピュータ等の情報処理装置においては、操作方法、トラブル対処方法等を機器内外に取り付けたデカル等の表示手段によって表示することによって、ユーザの便宜を図っている。例えば、複写機等の画像形成装置において、原稿、転写紙のジャムが発生したときには、ジャム処理位置やジャム除去手順を示したデカルを見てそれを基にジャム処理操作ができるようにしている。
また、原稿や転写紙のセット方法やインクジェット紙、ＯＨＰ紙などの用紙の取り扱い注意などを示したデカルや、レーザー、高温部に注意を促すデカル、さらには商品名、定格電圧、定格電流を示す定格銘板といったデカル類が多用されており、デカルの表示内容を確認しながら操作、処理等をすることが比較的多い。尚、この種の情報処理装置に関連して、特開平７−７２６９２号公報に記載の技術が存在する。
【０００３】
【発明が解決しようとする課題】
しかし、このようなデカルによる表示は、機器の比較的下部にあったり、扉の裏側にあったりするため、見にくかったり、経時で機器内部のトナー、インク、塵埃等の汚れを受け、埃にまみれてくることもある。また、設定内容の多様化を受け、表示項目が多く操作者の視力を考慮しきれずに、操作者にとって見にくい小さな文字で表示案内している場合もある。そのため、見にくさから記載内容を誤解して操作時にミスしてしまう場合がある。
このような不具合を防ぐためには、何度も目を凝らして見返えさなければならない。またプラスチックなど樹脂材のリサイクルを目的に、操作説明を記したデカルなどをはがしやすく構成している機器などでは、デカルを取り外してそれを注視しながら操作した後、またそのデカルを元に戻さなければならず手間がかかり操作性が悪くなる。このようなことから、目を凝らさなくとも、また健常者でない人々にとっても容易、且つ誤りなく操作できるような情報処理装置が求められている。
本発明は上記に述べたような点に鑑みてなされたものであり、操作者のわずらわしさをなくし、必要とする任意のデカル類を選択するとそのデカルの表示内容を音声ガイダンスするようにし、さらには装置が静音状態で音声ガイダンスをするようにして、より円滑に操作することができる情報処理装置を提供することを目的とする。
【０００４】
【課題を解決するための手段】
上記目的を達成するために、請求項１記載の発明は、装置に関する各種デカルの位置及び表示内容の音声情報をメモリできる記憶装置と、装置にある任意のデカルの表示内容を音声ガイダンスするデカル類音声ガイダンスモードが設定される操作部と、選択された任意のデカルの表示内容を音声ガイダンスできるスピーカ部とを備え、かつ、装置にある各種デカルに接触検知機能を有し、さらに、前記デカル類音声ガイダンスモードが設定され、触ることで選択された任意のデカルの表示内容がスピーカ部より音声ガイダンスされるよう制御する制御部を備えた情報処理装置を最も主要な特徴とする。
請求項２記載の発明は、請求項１記載の情報処理装置において、前記デカル類音声ガイダンスモードが設定されデカルの表示内容を音声ガイダンスするときには装置が静音状態に移行している情報処理装置を主要な特徴とする。
請求項３記載の発明は、請求項１記載の情報処理装置において、前記デカルの表示内容を音声ガイダンスするデカル類音声ガイダンスモードを前記操作部より設定解除できるようにした情報処理装置を主要な特徴とする。
【０００５】
【発明の実施の形態】
以下に、本発明の一実施形態を添付図面を参照して詳細に説明する。図１は本発明の実施形態に係る情報処理装置のブロック図である。図１に示す情報処理装置において、メイン制御部１は、ＣＰＵ１１とＲＯＭ１２とＲＡＭ１３とプロセス制御部１４とインターフェイス部１５から構成されており、これらＣＰＵ１１とＲＯＭ１２とＲＡＭ１３とプロセス制御部１４とインターフェイス部１５は相互に接続されている。
ＣＰＵ１１は、格納プログラムに基づいて所定の情報処理制御動作を実行する。ＲＯＭ１２には、各種の制御処理を実行するためのプログラム、予め登録された装置の各種デカルの位置及び表示内容の音声情報などが格納されている。ＲＡＭ１３は、ＣＰＵ１１によって処理された結果やデータを一時的に記録する。プロセス制御部１４は、各種画像においてプロセス処理を実行する。
インターフェイス部１５は、例えばゲートアレイなどで形成されており、デカル類音声ガイダンスモードを任意に設定したり、キー入力できる操作部２１、画像データを用紙に転写して出力するプリンタ２２、接触センサ内蔵のデカル２３、デカル２３の表示内容を音声ガイダンスするスピーカ部２４などが接続されている。そして、前記インターフェイス部１５は、ＣＰＵ１１のインターフェイス、プロセス制御、プリンタ制御などを行うようになっている。
以上のように構成されたメイン制御部１において、予め、操作部２１より入力されたデカル類音声ガイダンスモードの設定解除を認知し、選択された任意のデカルの表示内容の音声ガイダンスを行い、操作者が容易に操作できるようにする。
【０００６】
図２は本発明による画像形成に関するフローチャートである。この制御はＲＯＭ１２に格納されているプログラムによりＣＰＵ１１により行なわれるものである。
図２のフローチャートにおいて、まず、操作部２１にて、デカル類音声ガイダンスモードが設定されているか否かを判断する（Ｓ１）。デカル類音声ガイダンスモードが解除されていると再び、デカル類音声ガイダンスモードが設定されているか否かを繰り返し判断する。
デカル類音声ガイダンスモードが設定されていると、操作者によってデカルを手で触ることで、デカルが選択されたかどうか判断され（Ｓ２）、選択されていると、次に情報処理装置を静音状態にした上　（Ｓ３）　、操作者が選択した任意のデカルの表示内容を音声ガイダンスして（Ｓ４）終了する。
【０００７】
【発明の効果】
以上説明したように、請求項１の情報処理装置においては、装置に関する各種デカルの位置及び表示内容の音声情報をメモリできる記憶装置と、装置にある任意のデカルの表示内容を音声ガイダンスするデカル類音声ガイダンスモードが設定される操作部と、選択された任意のデカルの表示内容を音声ガイダンスできるスピーカ部とを備え、かつ、装置にある各種デカルに接触検知機能を有し、さらに、前記デカル類音声ガイダンスモードが設定され、触ることで選択された任意のデカルの表示内容がスピーカ部より音声ガイダンスされるよう制御する制御部を備えているので、操作者は、音声ガイダンスを聞いて円滑かつ自然に操作でき、操作効率を向上させることができる。
請求項２の情報処理装置においては、前記デカル類音声ガイダンスモードが設定されデカルの表示内容を音声ガイダンスするときには装置が静音状態に移行しているので、常時駆動しているようなファンモータの騒音なども耳に入ってこない状態で音声ガイダンスを聞くことができ、より操作効率を向上させることができる。
請求項３の情報処理装置においては、前記デカルの表示内容を音声ガイダンスするデカル類音声ガイダンスモードを前記操作部より設定解除できるようにしたので、例えば、デカル類音声ガイダンスモードが働いて操作部上に任意のデカルが表示されなくても、そのままの表示で何ら操作上支障がなければ、デカル類音声ガイダンスモードを解除するなど、意図する状況と一致させることができる。
【図面の簡単な説明】
【図１】本発明の実施形態に係る情報処理装置のブロック図である。
【図２】本発明による画像形成に関するフローチャートである。
【符号の説明】
１　メイン制御部
１１　ＣＰＵ（制御部）
１３　ＲＡＭ（記憶装置）
２１　操作部
２３　接触センサ内蔵デカル
２４　スピーカ部
【図１】
2004020732.tif 000003
【図２】
2004020732.tif 000004